(57)【要約】【課題】エレベータの遠隔監視センタ側の負荷を低減しつつエレベータの制御用データを最新のデータに更新する。【解決手段】遠隔監視端末装置２ａはエレベータ制御装置１ａによる制御対象のエレベータの号機の情報を遠隔監視センタ４に送信する。遠隔監視センタ４は受信した情報で示される号機と対応する制御用プログラムの最新のバージョンの値を遠隔監視端末装置２ａに送信する。遠隔監視端末装置２ａはエレベータ制御装置１ａのメモリ１１に記憶される制御用プログラムのバージョンの値と遠隔監視センタ４からの最新バージョンの値とが異なっていれば遠隔監視センタ４に更新用データの送信を要求する。遠隔監視端末装置２ａは前述した要求にしたがって遠隔監視センタ４から送信された更新用データを受信すると、これをメモリ１１に記憶されるエレベータ制御用プログラムに反映させる。【選択図】      図１
2007022795.tif 000002
【特許請求の範囲】
【請求項１】
エレベータの運転状態信号を出力するエレベータ制御装置、このエレベータ制御装置からの信号をもとに前記エレベータの異常有無情報を通信回線を介して遠隔監視センタに送信する遠隔監視端末装置を有するシステムであって、
前記エレベータ制御装置は、制御対象エレベータの制御用データおよびこの識別情報を記憶する第１の記憶手段と、
この第１の記憶手段に記憶される制御用データにしたがって前記エレベータの制御を行なう制御手段とを備え、
前記遠隔監視センタは、前記制御用データの更新用データおよびこの識別情報を記憶する第２の記憶手段を備え、
前記遠隔監視端末装置は、前記エレベータ制御装置の第１の記憶手段に記憶される識別情報を取得する第１の取得手段と、
前記遠隔監視センタの第２の記憶手段に記憶される識別情報を取得する第２の取得手段と、
前記第１の記憶手段に記憶される制御用データに前記更新用データが反映されているか否かを前記第１の取得手段により取得した識別情報および前記第２の取得手段により取得した識別情報をもとに判別する判別手段と、
前記第１の記憶手段に記憶される制御用データに前記更新用データが反映されていないと前記判別手段が判別した場合に当該更新用データを前記第２の記憶手段から取得するデータ取得手段と、
このデータ取得手段により取得した更新用データを前記第１の記憶手段に記憶される制御用データに反映させる反映手段とを備える
ことを特徴とするエレベータ遠隔監視システム。
【請求項２】
前記エレベータ制御装置は複数設けられ、
前記遠隔監視端末装置は前記エレベータ制御装置のそれぞれに対して設けられ、
前記遠隔監視センタの第２の記憶手段は、接続先のエレベータ制御装置による制御対象エレベータの制御用データの更新用データの識別情報を記憶し、
前記遠隔監視端末装置の前記第２の取得手段は、前記遠隔監視センタの第２の記憶手段に記憶される更新用データの識別情報のうち接続先のエレベータ制御装置による制御対象エレベータと対応する更新用データの識別情報を取得する
ことを特徴とする請求項１に記載のエレベータ遠隔監視システム。
【請求項３】
前記エレベータ制御装置の第１の記憶手段は、制御対象エレベータの制御用プログラムおよびこの版情報を記憶し、
前記遠隔監視センタの第２の記憶手段は、前記制御用プログラムの更新用プログラムおよびこの版情報を記憶し、
前記遠隔監視端末装置の第１の取得手段は、前記エレベータ制御装置の第１の記憶手段に記憶される版情報を取得し、
前記第２の取得手段は、前記遠隔監視センタの第２の記憶手段に記憶される版情報を取得し、
前記判別手段は、前記第１の記憶手段に記憶される制御用プログラムに前記更新用プログラムが反映されているか否かを前記第１の取得手段により取得した版情報および前記第２の取得手段により取得した版情報をもとに判別し、
前記データ取得手段は、前記第１の記憶手段に記憶される制御用プログラムに前記更新用プログラムが反映されていないと前記判別手段が判別した場合に当該更新用プログラムを前記第２の記憶手段から取得し、
前記反映手段は、前記データ取得手段により取得した更新用プログラムを前記第１の記憶手段に記憶される制御用プログラムに反映させる
ことを特徴とする請求項１に記載のエレベータ遠隔監視システム。
【請求項４】
前記エレベータ制御装置の第１の記憶手段は前記制御用プログラムで使用される変数データおよびこの識別情報をさらに記憶し、
前記遠隔監視センタの第２の記憶手段は前記変数データの更新用データおよびこの識別情報をさらに記憶し、
前記遠隔監視端末装置の第１の取得手段は、前記エレベータ制御装置の第１の記憶手段に記憶される識別情報を取得し、
前記第２の取得手段は、前記遠隔監視センタの第２の記憶手段に記憶される識別情報を取得し、
前記判別手段は、前記第１の記憶手段に記憶される変数データに前記更新用データが反映されているか否かを前記第１の取得手段により取得した識別情報および前記第２の取得手段により取得した識別情報をもとに判別し、
前記データ取得手段は、前記第１の記憶手段に記憶される変数データに前記更新用データが反映されていないと前記判別手段が判別した場合に当該更新用データを前記第２の記憶手段から取得し、
前記反映手段は、前記データ取得手段により取得した更新用データを前記第１の記憶手段に記憶される変数データに反映させる
ことを特徴とする請求項１に記載のエレベータ遠隔監視システム。
【請求項５】
エレベータの運転状態信号を出力するエレベータ制御装置、このエレベータ制御装置からの信号をもとに前記エレベータの異常有無情報を通信回線を介して遠隔監視センタに送信する遠隔監視端末装置を有するシステムであって、
前記遠隔監視センタは、前記エレベータ制御装置および遠隔監視センタとの間の通信制御用データの更新用データおよびこの識別情報を記憶する第１の記憶手段を備え、
前記遠隔監視端末装置は、前記通信制御用データおよびこの識別情報を記憶する第２の記憶手段と、
この第２の記憶手段に記憶される制御用データにしたがって前記エレベータ制御装置からの信号をもとにした前記異常有無情報の前記遠隔監視センタへの送信を行なう手段と、
前記遠隔監視センタの第１の記憶手段に記憶される識別情報を取得する識別情報取得手段と、
前記第２の記憶手段に記憶される通信制御用データに前記更新用データが反映されているか否かを前記識別情報取得手段により取得した識別情報および前記第２の記憶手段に記憶される識別情報をもとに判別する判別手段と、
前記第２の記憶手段に記憶される通信制御用データに前記更新用データが反映されていないと前記判別手段が判別した場合に当該更新用データを前記第１の記憶手段から取得するデータ取得手段と、
このデータ取得手段により取得した更新用データを前記第２の記憶手段に記憶される通信制御用データに反映させる反映手段とを備える
ことを特徴とするエレベータ遠隔監視システム。
【請求項６】
エレベータ制御装置が保持するエレベータ制御用データの識別情報を取得する第１の取得手段と、
遠隔監視センタが保持する前記制御用データの更新用データの識別情報を通信回線を介して取得する第２の取得手段と、
前記エレベータ制御装置が保持する制御用データに前記更新用データが反映されているか否かを前記第１の取得手段により取得した識別情報および第２の取得手段により取得した識別情報をもとに判別する判別手段と、
前記エレベータ制御装置が保持する制御用データに前記更新用データが反映されていないと前記判別手段が判別した場合に当該更新用データを前記遠隔監視センタから取得するデータ取得手段と、
このデータ取得手段により取得した更新用データを前記エレベータ制御装置が保持する制御用データに反映させる反映手段と
を備えることを特徴とするエレベータ遠隔監視端末装置。
【請求項７】
前記第１の取得手段は、前記エレベータ制御装置が保持するエレベータ制御用プログラムの版情報を取得し、
前記第２の取得手段は、前記遠隔監視センタが保持する前記制御用プログラムの更新用プログラムの版情報を取得し、
前記判別手段は、前記エレベータ制御装置が保持する制御用プログラムに前記更新用プログラムが反映されているか否かを前記第１の取得手段により取得した版情報および前記第２の取得手段により取得した版情報をもとに判別し、
前記データ取得手段は、前記エレベータ制御装置が保持する制御用プログラムに前記更新用プログラムが反映されていないと前記判別手段が判別した場合に当該更新用プログラムを前記遠隔監視センタから取得し、
前記反映手段は、前記データ取得手段により取得した更新用プログラムを前記エレベータ制御装置が保持する制御用プログラムに反映させる
ことを特徴とする請求項６に記載のエレベータ遠隔監視端末装置。
【請求項８】
前記第１の取得手段は、前記エレベータ制御装置が保持するエレベータ制御用プログラムで使用される変数データの識別情報を取得し、
前記第２の取得手段は、前記遠隔監視センタが保持する前記変数データの更新用データの識別情報を取得し、
前記判別手段は、前記エレベータ制御装置が保持する変数データに前記更新用データが反映されているか否かを前記第１の取得手段により取得した識別情報および前記第２の取得手段により取得した識別情報をもとに判別し、
前記データ取得手段は、前記エレベータ制御装置が保持する変数データに前記更新用データが反映されていないと前記判別手段が判別した場合に当該更新用データを前記遠隔監視センタから取得し、
前記反映手段は、前記データ取得手段により取得した更新用データを前記エレベータ制御装置が保持する変数データに反映させる
ことを特徴とする請求項６に記載のエレベータ遠隔監視端末装置。
【請求項９】
エレベータ制御装置および遠隔監視センタとの間の通信制御用データおよびこの識別情報を記憶する記憶手段と、
この記憶手段に記憶される制御用データにしたがって前記エレベータ制御装置からの信号の入力およびこれをもとにしたエレベータの異常有無情報の前記遠隔監視センタへの送信を行なう手段と、
前記遠隔監視センタが保持する制御用データの更新用データの識別情報を通信回線を介して取得する取得手段と、
前記記憶手段に記憶される制御用データに前記更新用データが反映されているか否かを前記取得手段により取得した識別情報および前記記憶手段に記憶される識別情報をもとに判別する判別手段と、
前記記憶手段に記憶される制御用データに前記更新用データが反映されていないと前記判別手段が判別した場合に当該更新用データを前記遠隔監視センタから取得するデータ取得手段と、
このデータ取得手段により取得した更新用データを前記記憶手段に記憶される制御用データに反映させる反映手段と
を備えることを特徴とするエレベータ遠隔監視端末装置。
【発明の詳細な説明】
【技術分野】
【０００１】
本発明は、エレベータの運転状態を監視するエレベータ遠隔監視システムおよびエレベータ遠隔監視端末装置に関する。
【背景技術】
【０００２】
従来のエレベータシステムにおいて、個々のエレベータ制御装置と保守会社の監視センタとを通信回線で接続するものがある。このシステムでは監視センタからエレベータ制御装置の動作状態の遠隔監視を行なうことで、エレベータに異常が発生した場合に迅速な対応をとることができる。近年では、エレベータ制御装置のマイコン化に伴い、監視センタは起動回数やドアの開閉回数などの運行状態や乗りかごの着床精度などの詳細なデータを遠隔監視により収集することが可能である。保守会社はこれらのデータを常に把握・分析することによりエレベータの効率的な保守サービスを提供する。エレベータの保守サービス内容の充実はマイコンの導入によるエレベータ制御装置の高機能化によるところが大きい。よってこのマイコンに組み込まれるエレベータ制御用プログラムの重要性は高い。
【発明の開示】
【発明が解決しようとする課題】
【０００３】
エレベータ制御用プログラムはエレベータ運行機能の向上やプログラム自体のバグの修正などを目的として新しいものに更新される。このようにエレベータ制御用プログラムの更新が必要となった場合、通常は保守作業員が現地に赴いてエレベータ制御装置のマイコンのメモリに記憶されるエレベータ制御用プログラムの更新作業を行なう。
【０００４】
また、近年では遠隔操作により遠隔監視センタから遠隔監視端末装置を介してエレベータ制御装置にアクセスすることでエレベータ制御用プログラムを更新することも可能である。この場合にはエレベータ制御用プログラムの更新のために保守作業員が現地へ赴く必要がなくなる。
【０００５】
遠隔監視センタからエレベータ制御装置へのアクセスにより制御用プログラムを更新する場合には、このエレベータ制御装置による制御対象エレベータが運行中の場合には、制御用プログラムの更新ができない。この場合、遠隔監視センタはエレベータ制御装置によるアクセスを再度行なう必要がある。また、制御用プログラムの更新を要するエレベータ台数が増えるにしたがって遠隔監視センタ側の負荷が増大してしまう。
【０００６】
そこで、本発明の目的は、遠隔監視センタ側の負荷を低減しつつエレベータの制御用データを最新のデータに更新することが可能になるエレベータ遠隔監視システムおよびエレベータ遠隔監視端末装置を提供することにある。
【課題を解決するための手段】
【０００７】
すなわち、本発明に係わるエレベータ遠隔監視システムは、エレベータの運転状態信号を出力するエレベータ制御装置、このエレベータ制御装置からの信号をもとにエレベータの異常有無情報を通信回線を介して遠隔監視センタに送信する遠隔監視端末装置を有し、エレベータ制御装置は、制御対象エレベータの制御用データを当該データの識別情報と対応付けて記憶する第１の記憶手段を備え、この第１の記憶手段に記憶される制御用データにしたがって制御対象エレベータの制御を行ない、遠隔監視センタは、制御用データの更新用データを当該データの識別情報と対応付けて記憶する第２の記憶手段を備え、遠隔監視端末装置は、エレベータ制御装置の第１の記憶手段に記憶される識別情報を取得し、遠隔監視センタの第２の記憶手段に記憶される識別情報を取得し、第１の記憶手段に記憶される制御用データに更新用データが反映されているか否かを前述のように取得した識別情報をもとに判別し、この判別の結果、第１の記憶手段に記憶される制御用データに更新用データが反映されていない場合に当該更新用データを第２の記憶手段から取得し、この取得した更新用データを第１の記憶手段に記憶される制御用データに反映させることを特徴とする。
【発明の効果】
【０００８】
本発明に係わるエレベータ遠隔監視システムでは、エレベータの運転状態信号を出力するエレベータ制御装置、このエレベータ制御装置からの信号をもとにエレベータの異常有無情報を通信回線を介して遠隔監視センタに送信する遠隔監視端末装置を有し、エレベータ制御装置は、制御対象エレベータの制御用データを当該データの識別情報と対応付けて記憶する第１の記憶手段を備え、この第１の記憶手段に記憶される制御用データにしたがって制御対象エレベータの制御を行ない、遠隔監視センタは、制御用データの更新用データを当該データの識別情報と対応付けて記憶する第２の記憶手段を備え、遠隔監視端末装置は、エレベータ制御装置の第１の記憶手段に記憶される識別情報を取得し、遠隔監視センタの第２の記憶手段に記憶される識別情報を取得し、第１の記憶手段に記憶される制御用データに更新用データが反映されているか否かを前述のように取得した識別情報をもとに判別し、この判別の結果、第１の記憶手段に記憶される制御用データに更新用データが反映されていない場合に当該更新用データを第２の記憶手段から取得し、この取得した更新用データを第１の記憶手段に記憶される制御用データに反映させるので、遠隔監視センタ側の負荷を低減しつつ個々のエレベータの制御用データを最新の状態に更新することができる。
【発明を実施するための最良の形態】
【０００９】
以下図面により本発明の実施形態について説明する。  
図１は、本発明の実施形態にしたがったエレベータ遠隔監視システムの構成例を示すブロック図である。  
本発明の実施形態にしたがったエレベータ遠隔監視システムはエレベータ制御装置１ａ，１ｂ，１ｃ，１ｄ，…、遠隔監視端末装置２ａ，２ｂ，２ｃ，２ｄ，…、エレベータ保守会社の遠隔監視センタ４を有する。
【００１０】
エレベータ制御装置１ａ，１ｂ，１ｃ，１ｄ，…は遠隔監視端末装置２ａ，２ｂ，２ｃ，２ｄ，…と１対１で接続される。エレベータ制御装置１ａ，１ｂ，１ｃ，１ｄ，…は制御対象のエレベータの運転状態を示す信号を接続先の遠隔監視端末装置に出力する。
【００１１】
遠隔監視端末装置２ａ，２ｂ，２ｃ，２ｄ，…は接続先のエレベータ制御装置からの信号を入力し、この入力結果をもとにこの信号の出力元のエレベータの異常有無を示す情報を通信回線網３を介して遠隔監視センタ４に送信する。遠隔監視センタ４は遠隔監視端末装置２ａ，２ｂ，２ｃ，２ｄ，…からの信号をもとにエレベータの各号機の異常の有無を示すメッセージなどを図示しないモニタに表示する。
【００１２】
エレベータ制御装置１ａ，１ｂ，１ｃ，１ｄ，…はメモリ１１を備える。このメモリ１１はエレベータ制御用プログラムおよび変数データを記憶する。エレベータ制御装置１ａはこれら制御用プログラムおよび変数データにしたがってエレベータの運転を制御する。
【００１３】
メモリ１１に記憶される変数データはエレベータ制御用プログラムをエレベータ制御装置１ａ，１ｂ，１ｃ，１ｄ，…が実行する際に用いられる変数を示す。この変数は例えば乗りかご昇降定格速度や開扉時間などである。
【００１４】
また、遠隔監視端末装置２ａ，２ｂ，２ｃ，２ｄ，…はメモリ２１を備える。このメモリ２１は通信制御用プログラムおよび変数データを記憶する。遠隔監視端末装置２ａはこれら通信制御用プログラムおよび変数データにしたがって接続先のエレベータ制御装置および遠隔監視センタ４との間の通信制御を行なう。
【００１５】
メモリ２１に記憶される変数データは通信制御用プログラムを遠隔監視端末装置２ａ，２ｂ，２ｃ，２ｄ，…が実行する際に用いられる変数を示す。この変数は例えば接続先のエレベータ制御装置からの信号の入力間隔などである。
【００１６】
遠隔監視センタ４は遠隔監視用ホスト装置５、データベースサーバ６、個別情報データベース部７、更新用プログラム記憶部８および変数データ記憶部９を備える。遠隔監視用ホスト装置５はデータベースサーバ６と接続される。遠隔監視用ホスト装置５は通信回線網３を介して遠隔監視端末装置２ａ，２ｂ，２ｃ，２ｄ，…との通信を行なう。
【００１７】
データベースサーバ６は個別情報データベース部７、更新用プログラム記憶部８および変数データ記憶部９と接続される。個別情報データベース部７は各エレベータの個別情報データベースを記憶する。この個別情報データベースはエレベータ制御用プログラム管理情報および通信制御用プログラム管理情報でなる。
【００１８】
更新用プログラム記憶部８はエレベータ制御装置１ａ，１ｂ，１ｃ，１ｄ，…が保持するエレベータ制御用プログラムの更新用データと遠隔監視端末装置２ａ，２ｂ，２ｃ，２ｄ，…が保持する通信制御用プログラムの更新用データとを記憶する。更新用プログラム記憶部８は各種プログラムの更新用データを各エレベータの型式や仕様に応じて複数種類記憶できる。
【００１９】
変数データ記憶部９はエレベータ制御用プログラムの変数データの更新用データと通信制御用プログラムの変数データの更新用データとを記憶する。変数データ記憶部９は各種変数データの更新用データを各エレベータの型式や仕様に応じて複数種類記憶できる。
【００２０】
図２は、本発明の実施形態にしたがったエレベータ遠隔監視システムの遠隔監視センタ４の個別情報データベース部７に記憶されるエレベータ制御用プログラム管理情報の構成例を表形式で示す図である。  
この管理情報は各エレベータ号機のエレベータ制御用プログラムの管理情報である。この管理情報は制御対象のエレベータ号機、このエレベータ号機に関するエレベータ制御用プログラムの種別、エレベータ制御用プログラムの最新バージョン、エレベータ制御用プログラム最新変数データ入力日時を対応付けた情報である。この最新変数データ入力日時は管理情報上で対応付けられる種別のエレベータ制御用プログラムの変数データの更新用データが遠隔監視センタ４の変数データ記憶部９に記憶された日時である。
【００２１】
図２に示したエレベータ号機の“１号機”とはエレベータ制御装置１ａによる制御対象のエレベータである。“２号機”とはエレベータ制御装置１ｂによる制御対象のエレベータである。“３号機”とはエレベータ制御装置１ｃによる制御対象のエレベータである。“４号機”とはエレベータ制御装置１ｄによる制御対象のエレベータである。
【００２２】
図３は、本発明の実施形態にしたがったエレベータ遠隔監視システムの遠隔監視センタ４の個別情報データベース部７に記憶される通信制御用プログラム管理情報の構成例を表形式で示す図である。  
この管理情報は各エレベータ号機に関する通信制御用プログラムの管理情報である。この管理情報は通信対象のエレベータ号機、このエレベータ号機に関する通信制御用プログラム種別、通信制御用プログラム最新バージョン、通信制御用プログラム最新変数データ入力日時を対応付けた情報である。この最新変数データ入力日時は管理情報上で対応付けられる種別の通信制御用プログラムの変数データの更新用データが遠隔監視センタ４の変数データ記憶部９に記憶された日時である。
【００２３】
図４は、本発明の実施形態にしたがったエレベータ遠隔監視システムの遠隔監視センタ４の変数データ記憶部９に記憶されるエレベータ制御用プログラムの変数データ管理情報の構成例を表形式で示す図である。  
この管理情報ではエレベータ号機、このエレベータ号機の定格速度および開扉時間などを対応付けて管理する。
【００２４】
図５は、本発明の実施形態にしたがったエレベータ遠隔監視システムの遠隔監視センタ４の変数データ記憶部９に記憶される通信制御用プログラムの変数データ管理情報の構成例を表形式で示す図である。  
この管理情報ではエレベータ号機、このエレベータ号機からの信号の入力間隔などを対応付けて管理する。
【００２５】
また、エレベータ制御装置１ａ，１ｂ，１ｃ，１ｄ，…のメモリ１１は制御対象のエレベータに関する制御用プログラムの管理情報を記憶する。この管理情報の構成を１号機に関するエレベータ制御用プログラムの管理情報を例にして説明する。
【００２６】
図６は、本発明の実施形態にしたがったエレベータ遠隔監視システムのエレベータ制御装置１ａのメモリ１１に記憶されるエレベータ制御用プログラム管理情報の構成例を表形式で示す図である。
【００２７】
この管理情報はエレベータ号機、メモリ１１に記憶されるエレベータ制御用プログラムの種別、このエレベータ制御用プログラムのバージョン、エレベータ制御装置１ａでのエレベータ制御用プログラム変数データ更新日時を対応付けた情報である。
【００２８】
また、遠隔監視端末装置２ａ，２ｂ，２ｃ，２ｄ，…のメモリ２１は通信制御用プログラム管理情報を記憶する。この管理情報の構成を１号機エレベータに関する通信制御用プログラムの管理情報を例にして説明する。
【００２９】
図７は、本発明の実施形態にしたがったエレベータ遠隔監視システムの遠隔監視端末装置２ａのメモリ２１に記憶される通信制御用プログラム管理情報の構成例を表形式で示す図である。
【００３０】
この管理情報は通信対象のエレベータ号機、メモリ２１に記憶される通信制御用プログラムの種別、この通信制御用プログラムのバージョン、遠隔監視端末装置２ａでの通信制御用プログラム変数データ更新日時を対応付けた情報である。
【００３１】
次に、図１に示した構成のエレベータ遠隔監視システムの処理動作について説明する。  
図８は、本発明の実施形態にしたがったエレベータ遠隔監視システムの処理動作の一例を示すフローチャートである。
【００３２】
以下、エレベータ制御装置１ａ、遠隔監視端末装置２ａおよび遠隔監視センタ４間でのエレベータ制御装置１ａのメモリ１１に記憶されるエレベータ制御用プログラムの更新にかかる処理動作について説明する。
【００３３】
まず、遠隔監視端末装置２ａはエレベータ制御装置１ａのメモリ１１に記憶されるエレベータ制御用プログラムの更新に関する問い合わせを示す制御信号をメモリ２１に記憶される管理情報中の監視間隔で定義された時間が経過するたびに通信回線網３を介して遠隔監視センタ４に送信する（ステップＳ１）。この制御信号はエレベータ制御装置１ａによる制御対象のエレベータ号機（“１号機”）の情報を含む。
【００３４】
遠隔監視センタ４の遠隔監視用ホスト装置５は遠隔監視端末装置２ａからの制御信号を受信すると、これをデータベースサーバ６に出力する。  
データベースサーバ６は遠隔監視用ホスト装置５からの制御信号を入力すると、個別情報データベース部７に記憶されるエレベータ制御用プログラム管理情報のうち制御信号で示されるエレベータ号機と対応する最新バージョンの情報を読み出し、これを遠隔監視用ホスト装置５に出力する。遠隔監視用ホスト装置５はデータベースサーバ６からの情報を通信回線網３を介して遠隔監視端末装置２ａに出力する。
【００３５】
遠隔監視端末装置２ａは遠隔監視センタ４の遠隔監視用ホスト装置５からの情報を受信する（ステップＳ２）と、この情報で示される最新バージョンの数値とエレベータ制御装置１ａのメモリ１１に記憶されるエレベータ制御用プログラム管理情報中のバージョンの数値とを比較する（ステップＳ３）。
【００３６】
遠隔監視端末装置２ａは前述した数値の比較の結果、両者が同一である場合（ステップＳ３のＹＥＳ）にはエレベータ制御装置１ａのメモリ１１に記憶されるエレベータ制御用プログラムのバージョンが最新であるとみなし、プログラム更新にかかる処理を終了する。
【００３７】
一方、遠隔監視端末装置２ａはこの比較の結果、両者が異なる（ステップＳ３のＮＯ）場合にはエレベータ制御装置１ａのメモリ１１に記憶されるエレベータ制御用プログラムのバージョンが最新でないとみなし、遠隔監視用ホスト装置５からの情報に含まれるバージョンと対応する更新用データの送信要求を示す制御信号を通信回線網３を介して遠隔監視センタ４に送信する（ステップＳ４）。この制御信号には前述したエレベータ号機の情報が含まれる。
【００３８】
遠隔監視センタ４の遠隔監視用ホスト装置５は遠隔監視端末装置２ａからの制御信号を受信すると、これをデータベースサーバ６に出力する。データベースサーバ６は遠隔監視用ホスト装置５からの制御信号を入力すると遠隔監視端末装置２ａからの制御信号に含まれるエレベータ号機と対応するエレベータ制御用プログラムの更新用データを更新用プログラム記憶部８から読み出す。データベースサーバ６はこの更新用データを遠隔監視用ホスト装置５および通信回線網３を介して遠隔監視端末装置２ａに出力する。
【００３９】
遠隔監視端末装置２ａは遠隔監視センタ４の遠隔監視用ホスト装置５からの更新用データを受信する（ステップＳ５）と、これをエレベータ制御装置１ａのメモリ１１に記憶されるエレベータ制御用プログラムに反映させる（ステップＳ６）。
【００４０】
そして遠隔監視端末装置２ａはエレベータ制御装置１ａのメモリ１１に記憶されるエレベータ制御用プログラム管理情報中の制御用プログラムの数値を前述したように遠隔監視センタ４から取得した最新バージョンの数値に更新する（ステップＳ７）。そして遠隔監視端末装置２ａは制御用プログラムの更新が終了した旨を示す制御信号を通信回線網３を介して遠隔監視センタ４に出力する。遠隔監視センタ４では、遠隔監視端末装置２ａからの制御信号を遠隔監視用ホスト装置５が入力すると、エレベータ制御装置１ａのメモリ１１に記憶されるエレベータ制御用プログラムの更新が終了したことを認識する。
【００４１】
以上説明したように、本発明の実施形態にしたがったエレベータ遠隔監視システムでは、遠隔監視端末装置は接続先のエレベータ制御装置のメモリ１１に記憶されるエレベータ制御用プログラムの更新が必要であるか否かの判別を行なう。遠隔監視端末装置は、このプログラムの更新が必要であると判別すると遠隔監視センタ４に備えられる更新用プログラムを取得して接続先のエレベータ制御装置のメモリ１１に記憶されるエレベータ制御用プログラムの更新を行なう。よってエレベータ制御用プログラムの更新における遠隔監視センタ側の負荷を低減させることができる。
【００４２】
また、エレベータ制御装置１ａ、遠隔監視端末装置２ａおよび遠隔監視センタ４間でのエレベータ制御装置１ａのメモリ１１に記憶されるエレベータ制御用プログラムの変数データの更新にかかる処理動作はメモリ１１に記憶されるエレベータ制御用プログラムの更新にかかる処理動作と同様である。
【００４３】
この場合には、遠隔監視端末装置２ａから遠隔監視センタ４への問い合わせをエレベータ制御装置１ａのメモリ１１に記憶されるエレベータ制御用プログラムの変数データの更新に関する問い合わせとし、この問い合わせに対する遠隔監視センタ４から遠隔監視端末装置２ａへの送信情報を前述した管理情報中の最新変数データ入力日時とする。
【００４４】
そして、遠隔監視端末装置２ａによる比較対象を遠隔監視センタ４からの最新変数データ入力日時とエレベータ制御装置１ａのメモリ１１に記憶されるエレベータ制御用プログラム管理情報中の変数データ更新日時とし、この比較の結果、両者の日時が異なる場合の遠隔監視センタ４への送信要求を遠隔監視センタ４の変数データ記憶部９に記憶される“１号機”用のエレベータ制御用プログラムの変数データの更新用データの送信要求とする。
【００４５】
加えて、この送信要求にしたがって遠隔監視センタ４から送信された更新用データの反映対象をエレベータ制御装置１ａのメモリ１１に記憶されるエレベータ制御用プログラムの変数データとする。そして、前述した変数データの反映後には、遠隔監視端末装置２ａエレベータ制御装置１ａのメモリ１１に記憶されるエレベータ制御用プログラムの変数データ管理情報における変数データ更新日時を遠隔監視センタ４からの前述した最新変数データ入力日時に更新する。
【００４６】
次に、遠隔監視端末装置２ａおよび遠隔監視センタ４間での遠隔監視端末装置２ａのメモリ２１に記憶される通信制御用プログラムの更新にかかる処理動作について説明する。  
まず、遠隔監視端末装置２ａはメモリ２１に記憶される通信制御用プログラムの更新に関する問い合わせを示す制御信号をメモリ２１に記憶される管理情報中の入力間隔で定義された時間が経過するたびに通信回線網３を介して遠隔監視センタ４に送信する。この制御信号はエレベータ制御装置１ａによる制御対象のエレベータ号機（“１号機”）の情報を含む。
【００４７】
遠隔監視センタ４の遠隔監視用ホスト装置５は遠隔監視端末装置２ａからの制御信号を受信すると、これをデータベースサーバ６に出力する。  
データベースサーバ６は遠隔監視用ホスト装置５からの制御信号を入力すると個別情報データベース部７に記憶される通信制御用プログラム管理情報のうち制御信号で示されるエレベータ号機と対応する最新バージョンの情報を読み出して、これを遠隔監視用ホスト装置５に出力する。遠隔監視用ホスト装置５はデータベースサーバ６からの情報を通信回線網３を介して遠隔監視端末装置２ａに出力する。
【００４８】
遠隔監視端末装置２ａは遠隔監視センタ４の遠隔監視用ホスト装置５からの情報を受信すると、この情報に含まれる最新バージョンの数値とメモリ２１に記憶される通信制御用プログラム管理情報中のバージョンの数値とを比較する。
【００４９】
遠隔監視端末装置２ａはこの数値の比較の結果、両者が同一である場合にはメモリ２１に記憶される通信制御用プログラムのバージョンが最新であるとみなしプログラム更新にかかる処理を終了する。
【００５０】
一方、遠隔監視端末装置２ａはこの比較の結果、両者が異なる場合にはメモリ２１に記憶される通信制御用プログラムのバージョンが最新でないとみなし、遠隔監視用ホスト装置５からの情報に含まれるバージョンと対応する通信制御用プログラムの更新用データの送信要求を示す制御信号を通信回線網３を介して遠隔監視センタ４に送信する。この制御信号にはエレベータ号機の情報が含まれる。
【００５１】
遠隔監視センタ４の遠隔監視用ホスト装置５は遠隔監視端末装置２ａからの制御信号を受信すると、これをデータベースサーバ６に出力する。データベースサーバ６は遠隔監視用ホスト装置５からの制御信号を入力すると遠隔監視端末装置２ａからの制御信号に含まれるエレベータ号機と対応する通信制御用プログラムの更新用データを更新用プログラム記憶部８から読み出し、これを通信回線網３を介して遠隔監視端末装置２ａに出力する。
【００５２】
遠隔監視端末装置２ａは遠隔監視センタ４の遠隔監視用ホスト装置５からの更新用データを受信すると、これをメモリ２１に記憶される通信制御用プログラムに反映させる。
【００５３】
そして遠隔監視端末装置２ａはメモリ２１に記憶される通信制御用プログラム管理情報中のバージョンの数値を前述したように遠隔監視センタ４から取得した最新バージョンの数値に更新する。そして遠隔監視端末装置２ａは通信制御用プログラムの更新が終了した旨を示す制御信号を通信回線網３を介して遠隔監視センタ４に出力する。遠隔監視センタ４では、遠隔監視端末装置２ａからの制御信号を遠隔監視用ホスト装置５が入力すると、遠隔監視端末装置２ａのメモリ２１に記憶される通信制御用プログラムの更新が終了したことを認識する。
【００５４】
また、遠隔監視端末装置２ａおよび遠隔監視センタ４間での遠隔監視端末装置２ａのメモリ２１に記憶される通信制御用プログラムの変数データの更新にかかる処理動作はメモリ２１に記憶される通信制御用プログラムの更新にかかる処理動作と同様である。
【００５５】
この場合には、遠隔監視端末装置２ａから遠隔監視センタ４への問い合わせを遠隔監視端末装置２ａのメモリ２１に記憶される通信制御用プログラムの変数データの更新に関する問い合わせとし、この問い合わせに対する遠隔監視センタ４から遠隔監視端末装置２ａへの送信情報を前述した管理情報中の最新変数データ入力日時とする。
【００５６】
そして、遠隔監視端末装置２ａによる比較対象を、遠隔監視センタ４からの最新変数データ入力日時とメモリ２１に記憶される通信制御用プログラム管理情報中の変数データ更新日時とし、この比較の結果、両者の日時が異なる場合の遠隔監視センタ４への送信要求を遠隔監視センタ４の変数データ記憶部９に記憶される１号機用の通信制御用プログラムの変数データの更新用データの送信要求とする。
【００５７】
加えて、この送信要求にしたがって遠隔監視センタ４から送信された更新用データの反映対象をメモリ２１に記憶される通信制御用プログラムの変数データとする。そして、前述した変数データの反映後には、メモリ２１に記憶される通信制御用プログラムの変数データ管理情報における変数データ更新日時を遠隔監視センタ４からの前述した最新変数データ入力日時に更新する。
【００５８】
なお、前記実施の形態は、本発明をプログラムや変数データに適用した場合について説明したものであるが、これに限らず例えば乗りかご内のガイドアナウンスなどの音声データにも本発明を適用することが可能である。
【００５９】
なお、この発明は前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６０】
【図１】本発明の実施形態にしたがったエレベータ遠隔監視システムの構成例を示すブロック図。
【図２】本発明の実施形態にしたがったエレベータ遠隔監視システムの遠隔監視センタの個別情報データベース部に記憶されるエレベータ制御用プログラム管理情報の構成例を表形式で示す図。
【図３】本発明の実施形態にしたがったエレベータ遠隔監視システムの遠隔監視センタの個別情報データベース部に記憶される通信制御用プログラム管理情報の構成例を表形式で示す図。
【図４】本発明の実施形態にしたがったエレベータ遠隔監視システムの遠隔監視センタの変数データ記憶部に記憶されるエレベータ制御用プログラムの変数データ管理情報の構成例を表形式で示す図。
【図５】本発明の実施形態にしたがったエレベータ遠隔監視システムの遠隔監視センタの変数データ記憶部に記憶される通信制御用プログラムの変数データ管理情報の構成例を表形式で示す図。
【図６】本発明の実施形態にしたがったエレベータ遠隔監視システムのエレベータ制御装置のメモリに記憶されるエレベータ制御用プログラム管理情報の構成例を表形式で示す図。
【図７】本発明の実施形態にしたがったエレベータ遠隔監視システムの遠隔監視端末装置のメモリに記憶される通信制御用プログラム管理情報の構成例を表形式で示す図。
【図８】本発明の実施形態にしたがったエレベータ遠隔監視システムの処理動作の一例を示すフローチャート。
【符号の説明】
【００６１】
１ａ，１ｂ，１ｃ，１ｄ…エレベータ制御装置、２ａ，２ｂ，２ｃ，２ｄ…遠隔監視端末装置、３…通信回線網、４…遠隔監視センタ、５…遠隔監視用ホスト装置、６…データベースサーバ、７…個別情報データベース部、８…更新用プログラム記憶部、９…変数データ記憶部、１１，２１…メモリ。
【図１】
2007022795.tif 000003
【図２】
2007022795.tif 000004
【図３】
2007022795.tif 000005
【図４】
2007022795.tif 000006
【図５】
2007022795.tif 000007
【図６】
2007022795.tif 000008
【図７】
2007022795.tif 000009
【図８】
2007022795.tif 000010